(57)【要約】【課題】コネクタの緩み又は脱落が生じにくく且つ組み立てが容易な採血ホルダを実現できるようにする。【解決手段】採血ホルダ（１００）は、先端側に天板部（１１４）を有する筒状のホルダ本体（１１０）と、天板部（１１４）に配置され、コネクタが接続される接続部（１２１）とを備えている。接続部（１２１）は、コネクタに設けられた雄ねじと係合する雌ねじを有する第１の部分（１２３）と、第１の部分（１２３）よりも先端側に設けられた第２の部分（１２４）とを有している。第２の部分（１２４）は、内径が前記コネクタに設けられた鍔部よりも小さいロック部（１２６）を有している。【選択図】図１
2020028727.tif 000002
【特許請求の範囲】
【請求項１】
先端側に天板部を有する筒状のホルダ本体と、
前記ホルダ本体の天板部に配置され、コネクタが接続される接続部とを備え、
前記接続部は、前記前記コネクタに設けられた雄ねじと係合する第１の部分と、前記第１の部分よりも先端側に設けられた第２の部分とを有し、
前記第２の部分は、内径が前記コネクタに設けられた鍔部よりも小さいロック部を有する、採血ホルダ。
【請求項２】
前記接続部は、前記天板部から先端側に突出する筒状である請求項１に記載の採血ホルダ。
【請求項３】
前記ロック部は、前記第２の部分における内壁に設けられた凸部である、請求項１又は２に記載の採血ホルダ。
【請求項４】
前記凸部は、前記第２の部分の内周に沿って設けられた、一つ以上の突起部である、請求項３に記載の採血ホルダ。
【発明の詳細な説明】
【技術分野】
【０００１】
本開示は、採血ホルダに関する。
【背景技術】
【０００２】
被検者から採血する際には、採血ホルダと真空採血管とを用いる方法が一般に用いられている。採血ホルダは、後端部から真空採血管を挿入できるホルダ本体に両頭の採血針が取り付けられている。一般に、採血針はホルダ本体に分離可能に取り付けられた状態で医療現場に供給される。採血針が予めホルダ本体に取り付けられているため、すぐに使用することができる。また、採血針をホルダ本体に取り付ける際に採血針が汚染されたり、誤穿刺等の事故が生じたりするおそれも低減できる。一方、採血針をホルダ本体から分離できるため、採血後には、採血針を分別して廃棄することができる。
【０００３】
採血の際には、採血針がホルダ本体に確実に取り付けられていることが重要である。採血針をホルダ本体に確実に取り付けるために、ねじ部を有するコネクタに採血針を接着し、コネクタをホルダ本体の接続部にねじ込むことが行われている（例えば、特許文献１を参照。）。
【先行技術文献】
【特許文献】
【０００４】
【特許文献１】特開２０００−１６６９０１号公報
【発明の概要】
【発明が解決しようとする課題】
【０００５】
しかしながら、従来のねじ込み式の採血ホルダは、ねじ込まれているコネクタが、輸送時の振動等により緩んだり、ホルダ本体から外れたりするという問題がある。コネクタをねじ込むと共に接着剤等で固定する方法も考えられるが、ホルダ本体によく用いられるポリプロピレンは接着剤による接着が困難であるという問題がある。また、使用後に採血針をホルダ本体から分離することが困難となるという問題もある。また、緩み止めのピンを設けたりする方法も考えられるが、ピンを取り付けたりする工程が増えるため、生産性が低下するという問題がある。両頭の採血針に限らず、ホルダ本体にコネクタを介して針又はチューブ等を接続する場合には同様の問題が発生する。
【０００６】
また、従来のねじ込み式の採血ホルダには、採血管を挿入する際に、コネクタが緩んだり、脱落したりしやすいという問題もある。
【０００７】
本開示は、コネクタの緩み又は脱落が生じにくく且つ組み立てが容易な採血ホルダを実現できるようにすることを目的とする。
【課題を解決するための手段】
【０００８】
採血ホルダの一態様は、先端側に天板部を有する筒状のホルダ本体と、天板部に配置されコネクタが接続される接続部とを備え、接続部は、コネクタに設けられた雄ねじと係合する第１の部分と、第１の部分よりも先端側に設けられた第２の部分とを有し、第２の部分は、内径がコネクタに設けられた鍔部よりも小さいロック部を有する。
【０００９】
採血ホルダの一態様において、接続部は、天板部から先端側に突出する筒状とすることができる。
【００１０】
採血ホルダに一態様において、ロック部は、第２の部分における内壁に設けられた凸部とすることができる。
【００１１】
この場合において、凸部は、第２の部分の内周に沿って設けられた、１つ以上の突起部とすることができる。
【発明の効果】
【００１２】
本開示の採血ホルダによれば、輸送中及び採血管の挿入時においてコネクタの緩み又は脱落が生じにくく且つ組み立てが容易な採血ホルダを実現できる。
【図面の簡単な説明】
【００１３】
【図１】図１（ａ）及び（ｂ）は一実施形態に係る採血ホルダを示し、図１（ａ）は正面図であり、図１（ｂ）は上面図である。
【図２】図２は採血ホルダに接続するコネクタの一例を示す断面図である。
【図３】図３は接続部を拡大して示す断面図である。
【図４】図４は接続部の変形例を示す断面図である。
【図５】図５（ａ）及び（ｂ）は接続部の変形例を示し、図５（ａ）は断面図であり、図５（ｂ）は上面図である。
【図６】図６は接続部の変形例を示す上面図である。
【図７】図７は接続部の変形例を示す上面図である。
【図８】図８は接続部の変形例を示す断面図である。
【発明を実施するための形態】
【００１４】
図１（ａ）及び図１（ｂ）は一実施形態に係る採血ホルダ１００を示している。採血ホルダ１００は、先端側に設けられた天板部１１４を有する筒状のホルダ本体１１０と、天板部１１４から突出する筒状の接続部１２１とを有している。以下において特に断りが無い限り、使用時に患者側となる側を先端側とする。また、図１（ａ）に示すようにホルダ本体を下側にした状態において上下方向を説明する。
【００１５】
採血ホルダ１００には、例えば、図２に示すようなコネクタ２００を取り付けることができる。図２には、コネクタ２００に両頭の採血針２２１が接着剤２３１により接着された例を示している。コネクタ２００は、雄ねじ２１６が切られた基部２１２と、採血針２２１等が固定されるハブ２１３と、基部２１２とハブ２１３との間に設けられた鍔部２１４とを有している。コネクタ２００に取り付けるデバイスは、両頭の採血針２２１に限らない。例えば、翼状針の付いたチューブ等を取り付けることができる。また、留置針の外針を取り付けることもできる。
【００１６】
図３に示すように、接続部１２１は、第１の部分１２３と、第１の部分１２３よりも先端側に設けられた第２の部分１２４とを有している。第１の部分１２３は、コネクタ２００の基部２１２に設けられた雄ねじと係合する雌ねじを有する。第２の部分１２４は、コネクタ２００をロックするロック部を有している。ロック部は第２の部分１２４の側壁に設けられ内側に突出する可撓性の凸部とすることができる。
【００１７】
図１（ａ）及び図１（ｂ）においては、可撓性の凸部を側壁に設けられた弾性変形可能な舌片状部１２６としている。舌片状部１２６は、側壁の一部が切り抜かれ、ホルダ本体１１０側が自由端となり、ホルダ本体１１０と反対側が固定端となっている。
【００１８】
第２の部分１２４は、舌片状部１２６が設けられていない部分においては、コネクタ２００の鍔部２１４の外径よりもわずかに内径が大きい。舌片状部１２６は自由端側が固定端側よりも内側になるように曲げられている。このため、舌片状部１２６が設けられた部分における内径の最小値は、鍔部２１４の外径よりも小さい。また、舌片状部１２６の下端部と第１の部分１２３の上端部との間隔は鍔部２１４の厚さよりもわずかに大きくなっている。これにより、舌片状部１２６は、コネクタ２００をロックするロック部として機能する。
【００１９】
コネクタ２００を接続部１２１にねじ込んでいくと、鍔部２１４がロック部である舌片状部１２６に当接する。舌片状部１２６は弾性変形して外側に拡がることができるため、コネクタ２００をさらにねじ込むと、鍔部２１４は舌片状部１２６を拡げながらホルダ本体１１０側に移動する。鍔部２１４が舌片状部１２６の位置を越えると、舌片状部１２６は復元し、図３に示すように、鍔部２１４の上に乗り上げ、コネクタ２００がロックされる。
【００２０】
舌片状部１２６によりコネクタ２００がロックされるため、振動等によってコネクタ２００が接続部１２１から外れるおそれはほとんど無い。また、採血管の挿入時にもコネクタ２００が外れるおそれはほとんど無い。しかし、大きな力を掛けてコネクタ２００を逆回転させると、舌片状部１２６を乗り越えさせることができる。従って、使用後にコネクタ２００を採血ホルダ１００から分離することができる。
【００２１】
ホルダ本体１１０の天板部１１４と反対側は、採血管を挿入することができる開口端１１３となっている。ホルダ本体１１０の天板部１１４は、中央部に貫通孔１１４ａを有している。貫通孔１１４ａは接続部１２１と連通している。
【００２２】
開口端１１３にはフランジ１１５を設けることができる。フランジ１１５を設けることにより、採血管の挿入操作が容易となる。また、フランジ１１５を下にしてホルダ本体１１０を自立させることが容易となる。また、採血ホルダ１００を横にしてテーブル等の上に置いた場合に転がりにくくすることができる。フランジ１１５は、必要に応じて設ければよく、設けなくてもよい。また、ホルダ本体１１０と別の部材によってフランジ１１５を形成してもよい。
【００２３】
ホルダ本体１１０は、開口端１１３から天板部１１４に向かって次第に径が小さくなるようにすることができる。これにより、採血管の挿入が容易となる。但し、ホルダ本体１１０の径は一定であってもよい。ホルダ本体１１０の内側は平滑であってもよいが、採血管保持部を設けることもできる。採血管保持部を設けることにより、採血管をホルダ本体１１０内に保持することが容易となる。採血管保持部は、採血管を側面から押さえる突起としたり、板ばねとしたりすることができる。また、弾性変形する別部材をホルダ本体１１０内に挿入して採血管保持部とすることもできる。ホルダ本体１１０の外側は平滑であってもよいが、凹凸が設けられていてもよい。
【００２４】
ホルダ本体１１０と接続部１２１とは、一体に形成することができる。但し、ホルダ本体１１０と接続部１２１とを別々に形成した後、組み立てることもできる。ホルダ本体１１０及び接続部１２１は、どのような材料により形成されていてもよいが、例えばポリエチレン又はポリプロピレン等の樹脂により形成することができる。
【００２５】
本実施形態の採血ホルダ１００は、ロック部である舌片状部１２６を自由端側が内側に曲げられた構成とした。しかし、弾性変形する舌片状部１２６により第２の部分１２４の内径が鍔部２１４の外径よりもわずかに小さくなればどのような構成としてもよい。例えば、図４に示すように、舌片状部１２６の自由端に内側に突出する爪部１２８を設けた構成とすることができる。
【００２６】
本実施形態においては、ロック部となる可撓性の凸部を舌片状部１２６とした構成を示した。このような構成のロック部は、デバイスがはめ込みやすく且つ外れにくいという利点を有する。しかし、ロック部において第２の部分１２４の内径を鍔部２１４が乗り越えられる程度に小さくすることができれば、他の構成としてもよい。例えば、第２の部分１２４の内壁に設けた突起部をロック部とすることができる。
【００２７】
図５（ａ）及び図５（ｂ）は、ロック部となる凸部として、複数の独立した突起部１２６Ａを設けた変形例を示している。突起部１２６Ａは第２の部分１２４の内周に沿って複数設けられている。突起部１２６Ａが設けられた部分における内径の最小値は鍔部２１４の外径よりもわずかに小さい。樹脂製の接続部１２１はある程度の弾性変形が可能であるため、鍔部２１４は突起部１２６Ａを乗り越えることができる。このような、構成のロック部は形成が容易であるという利点を有する。突起部１２６Ａが等間隔に１０個設けられた例を示しているが、突起部１２６Ａの数は特に限定されない。また、突起部１２６Ａを不等間隔に設けることもできる。全ての突起部１２６Ａの周方向の幅及び軸方向の高さが等しい例を示したが、周方向の幅及び軸方向の高さの少なくとも一方が異なる突起部が混在していてもよい。突起部１２６Ａが複数設けられている例を示したが、突起部１２６Ａを１つとすることもできる。
【００２８】
図６は、突起部として、連続した凸条部１２６Ｂを設けた変形例を示している。凸条部１２６Ｂは第２の部分１２４の内周に沿って連続して設けられている。このような構成のロック部は、点状の突起部よりもデバイスが外れにくいという利点を有する。図６においては、内壁面からの高さが一定である凸条部１２６Ｂが設けられ、凸条部１２６Ｂが設けられた部分においても第２の部分１２４の内形状が円形状となっている。しかし、内壁面からの高さが一定でない凸条部を設けることもできる。
【００２９】
図７は、内壁面からの高さが変化する凸条部１２６Ｃを設けた変形例を示している。このような構成のロック部は、高さが一定の連続した凸条部よりもデバイスがはめ込みやすいという利点を有する。図７においては、凸条部１２６Ｃが設けられた部分における第２の部分１２４の内形状が正六角形状となっている。但し、凸条部１２６Ｃによって生じる内形状はどのような形状であってもよく、例えば三角形状又は四角形状等とすることができる。また、凸条部１２６Ｃによって直線状の辺が生じる例を示したが、凸条部１２６Ｃによって曲線状の辺が生じるようにすることができる。例えば、凸条部１２６Ｃによって第２の部分１２４の内形状がレンズ状又は楕円状等となっていてもよい。図７においては、凸条部１２６Ｃが内壁面から突出していない部分を有している例を示しているが、全ての部分において内壁面から突出していてもよい。
【００３０】
凸部は、凸条部と独立した突起部とを組み合わせてもよい。例えば、凸条部の一部がさらに突出した構成とすることができる。突起部と舌片状部とを組み合わせることも可能である。
【００３１】
突起部の軸方向に沿った断面形状は、例えば内壁面となす角が、ホルダ本体１１０側において反対側よりも大きくなっている形状とすることができる。このようにすれば、コネクタ２００をねじ込む方向には鍔部２１４が突起部を乗り越え易くし、コネクタ２００が緩む方向には鍔部２１４が突起部を乗り越えにくくすることができる。
【００３２】
ロック部における内径の最小値は、接続部及びコネクタの材質等にもよるが、鍔部の径よりも０．５％〜２％程度小さい値とすることができる。このような値とすることにより、コネクタの緩みを発生しにくくすることができると共に、コネクタのねじ込みも容易に行うことができる。
【００３３】
図１〜図７において、接続部１２１が天板部１１４から先端側に突出している例を示した。しかし、図８に示すように、接続部１２１が天板部１１４から開口端１１３側に突出している構成としてもよい。図８においては、ロック部となる凸部が独立した突起部１２６Ａである例を示したが、天板部１１４から先端側に突出した接続部１２１を設ける場合と同様に、連続した凸条部としたり、舌片状部としたりすることができる。
【産業上の利用可能性】
【００３４】
本開示の採血ホルダは、コネクタの緩み又は脱落が生じにくく且つ接続が容易であり、採血ホルダとして有用である。
【符号の説明】
【００３５】
１００      採血ホルダ
１１０      ホルダ本体
１１３      開口端
１１４      天板部
１１４ａ    貫通孔
１１５      フランジ
１２１      接続部
１２３      第１の部分
１２４      第２の部分
１２６      舌片状部
１２６Ａ    突起部
１２６Ｂ    凸条部
１２６Ｃ    凸条部
１２８      爪部
２００      コネクタ
２１２      基部
２１３      ハブ
２１４      鍔部
２２１      採血針
２３１      接着剤
【図１】
2020028727.tif 000003
【図２】
2020028727.tif 000004
【図３】
2020028727.tif 000005
【図４】
2020028727.tif 000006
【図５】
2020028727.tif 000007
【図６】
2020028727.tif 000008
【図７】
2020028727.tif 000009
【図８】
2020028727.tif 000010
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
先端側に天板部を有すると共に採血管が挿入される基端開口部を有する筒状のホルダ本体と、
基端側に形成された雄ねじと先端側に形成された鍔部とを有するコネクタが挿入される先端開口部を有し、前記ホルダ本体の天板部に配置された筒状の接続部とを備え、
前記接続部は、前記雄ねじと螺合し得る螺合部を基端側内面に有し、前記鍔部と衝突し得る衝突部を先端側内面に有し、
前記螺合部を前記雄ねじと螺合させることで、前記鍔部が前記衝突部を乗り越える、採血ホルダ。